(57)【要約】【課題】通信ケーブルを介した電子機器への給電の開始および停止の制御を容易に行う。【解決手段】検出抵抗２３１を備え、通信ケーブル３を介して給電装置１から給電を受ける電源制御部２０を有し、給電が、給電装置１が通信ケーブル３を介して検出抵抗２３１を検出することで開始され、通信ケーブル３に閾値以上の電流が流れることで停止される、電子機器２において、電源制御部２０は、給電を受けて電力の供給を行う電源手段２３０と、給電を開始するための操作を受け付けると通信ケーブル３と検出抵抗２３１との間を導通させ、電源手段２３０から供給される電力により該導通を維持する接続制御手段２２０と、所定の条件に基づいて、電源手段２３０から供給される電力により閾値以上の電流を通信ケーブル３に流す切断制御手段２４０とを有する。【選択図】図１
2010130339.tif 000002
【特許請求の範囲】
【請求項１】
検出抵抗を備え、通信ケーブルを介して給電装置から給電を受ける電源制御部を有し、前記給電が、前記給電装置が前記通信ケーブルを介して前記検出抵抗を検出することで開始され、前記通信ケーブルに閾値以上の電流が流れることで停止される、電子機器において、
前記電源制御部は、
前記給電を受けて電力の供給を行う電源手段と、
前記給電を開始するための操作を受け付けると前記通信ケーブルと前記検出抵抗との間を導通させ、前記電源手段から供給される電力により該導通を維持する接続制御手段と、
所定の条件に基づいて、前記電源手段から供給される電力により前記閾値以上の電流を前記通信ケーブルに流す切断制御手段とを有することを特徴とする電子機器。
【請求項２】
請求項１に記載の電子機器において、
前記接続制御手段は、
前記給電を開始するための操作を受け付けると前記通信ケーブルと前記検出抵抗との間を導通させ、前記給電を開始するための操作が終了すると前記通信ケーブルと前記検出抵抗との間の接続を切断するスイッチと、
前記スイッチと並列に接続され、前記電源手段から電力が供給されると前記通信ケーブルと前記検出抵抗との間を導通させ、前記電源手段からの電力の供給が停止すると前記通信ケーブルと前記検出抵抗との間の接続を切断する第１トランジスタとを有する、電子機器。
【請求項３】
請求項２に記載の電子機器において、
給電を停止するための操作を受け付ける入力部と、
前記電源手段から電力が供給されると一定の電圧の制御信号を前記切断制御手段に出力し、前記入力部にて前記給電を停止するための操作が受け付けられると、前記制御信号の電圧を前記一定の電圧よりも低い電圧に設定する制御部とをさらに有し、
前記切断制御手段は、前記制御信号の電圧が前記一定の電圧よりも低い電圧に設定されることを前記所定の条件として、前記通信ケーブルに前記閾値以上の電流を流す、電子機器。
【請求項４】
請求項３に記載の電子機器において、
前記電子機器の周囲の照度を測定し、測定した照度が所定の設定照度以下の場合に前記給電の停止を指示する給電停止命令を前記制御部に出力する光センサをさらに有し、
前記制御部は、前記給電停止命令を受けて、前記制御信号の電圧を前記一定の電圧よりも低い電圧に設定する、電子機器。
【請求項５】
請求項３に記載の電子機器において、
前記電子機器の周囲の照度を測定し、測定した照度が所定の設定照度以上の場合に前記給電の停止を指示する給電停止命令を前記制御部に出力する光センサをさらに有し、
前記制御部は、前記給電停止命令を受けて、前記制御信号の電圧を前記一定の電圧よりも低い電圧に設定する、電子機器。
【請求項６】
請求項４または請求項５に記載の電子機器において、
前記電子機器の周囲の温度を測定し、測定した温度が所定の設定温度以下の場合に前記給電停止命令を前記制御部に出力する温度センサをさらに有する、電子機器
【請求項７】
請求項４または請求項５に記載の電子機器において、
前記電子機器の周囲の温度を測定し、測定した温度が所定の設定温度以上の場合に前記給電停止命令を前記制御部に出力する温度センサをさらに有する、電子機器。
【請求項８】
請求項６または請求項７に記載の電子機器において、
時間を計測し、所定の設定時間を計測した場合に前記給電停止命令を前記制御部に出力するタイマー部をさらに有する、電子機器。
【請求項９】
請求項８に記載の電子機器において、
他の電子機器と通信ケーブルを介して接続する通信手段をさらに有し、
前記制御部は、前記通信手段にて前記他の電子機器から出力された前記給電の停止を指示する信号が受け付けられると、前記制御信号の電圧を前記一定の電圧よりも低い電圧に設定する、電子機器。
【請求項１０】
請求項２〜請求項９のいずれか１項に記載の電子機器において、
前記切断制御手段は、
前記通信ケーブルに前記電源手段と並列に接続され、該通信ケーブルを介して前記給電を受けると前記閾値以上の電流を前記通信ケーブルに流す電流調整抵抗と、
前記通信ケーブルに前記電流調整抵抗と直列に接続され、前記電源手段から供給される電力に応じて前記通信ケーブルと前記電流調整抵抗との間の導通および接続の切断を制御する第２トランジスタと、
グランドと前記第２トランジスタのベースとの間に接続され、前記制御部から出力される前記制御信号の電圧に応じて前記第２トランジスタとグランドとの間の導通および接続の切断を制御することで、前記電源手段から前記第２トランジスタに供給される電力の大きさを制御する第３トランジスタと、
前記電源手段と前記第２トランジスタのベースの間に接続され、前記制御手段から前記制御信号が前記第３トランジスタに出力されるまで、前記電源手段から出力された電力が前記第２トランジスタに供給されるのを遅延させるリセットＩＣとを有する、電子機器。
【請求項１１】
請求項２に記載の電子機器において、
前記切断制御手段は、
前記通信ケーブルに前記電源手段と並列に接続され、該通信ケーブルを介して前記給電を受けると前記閾値以上の電流を前記通信ケーブルに流す電流調整抵抗と、
前記通信ケーブルに前記電流調整抵抗と直列に接続され、前記電源手段から供給される電力に応じて前記通信ケーブルと前記電流調整抵抗との間の導通および接続の切断を制御する第２トランジスタと、
グランドと前記第２トランジスタのベースとの間に接続され、前記電子機器の周囲の照度に応じて前記第２トランジスタとグランドとの間の導通および接続の切断を制御することで、前記電源手段から前記第２トランジスタに供給される電力の大きさを制御するフォトトランジスタとを有する、電子機器。
【請求項１２】
検出抵抗を備え、通信ケーブルを介して給電装置から給電を受け、該給電が、前記給電装置が前記通信ケーブルを介して前記検出抵抗を検出することで開始され、前記通信ケーブルに閾値以上の電流が流れることで停止される、電源制御装置において、
前記給電を受けて電力の供給を行う電源手段と、
前記給電を開始するための操作を受け付けると前記通信ケーブルと前記検出抵抗との間を導通させ、前記電源手段から供給される電力により該導通を維持する接続制御手段と、
所定の条件に基づいて、前記電源手段から供給される電力により前記閾値以上の電流を前記通信ケーブルに流す切断制御手段とを有することを特徴とする電源制御装置。
【請求項１３】
請求項１２に記載の電源制御装置において、
前記接続制御手段は、
前記給電を開始するための操作を受け付けると前記通信ケーブルと前記検出抵抗との間を導通させ、前記給電を開始するための操作が終了すると前記通信ケーブルと前記検出抵抗との間の接続を切断するスイッチと、
前記スイッチと並列に接続され、前記電源手段から電力が供給されると前記通信ケーブルと前記検出抵抗との間を導通させ、前記電源手段からの電力の供給が停止すると前記通信ケーブルと前記検出抵抗との間の接続を切断する第１トランジスタとを有する、電源制御装置。
【請求項１４】
請求項１３に記載の電源制御装置において、
前記切断制御手段は、
前記通信ケーブルに前記電源手段と並列に接続され、該通信ケーブルを介して前記給電を受けると前記閾値以上の電流を前記通信ケーブルに流す電流調整抵抗と、
前記通信ケーブルに前記電流調整抵抗と直列に接続され、前記電源手段から供給される電力に応じて前記通信ケーブルと前記電流調整抵抗との間の導通および接続の切断を制御する第２トランジスタと、
グランドと前記第２トランジスタのベースとの間に接続され、前記電子機器の周囲の照度に応じて前記第２トランジスタとグランドとの間の導通および接続の切断を制御することで、前記電源手段から前記第２トランジスタに供給される電力の大きさを制御するフォトトランジスタとを有する、電源制御装置。
【発明の詳細な説明】
【技術分野】
【０００１】
本発明は、通信ケーブルを介して給電を受ける電子機器およびその電源制御装置に関し、特に、給電の開始および停止を制御する技術に関する。
【背景技術】
【０００２】
近年、エコロジーが注目され、電子機器の消費電力の削減が進んでいる。
【０００３】
例えば、特許文献１に記載の技術では、全ての構成要素に電力を供給する通常モードと、ネットワークインターフェイスとキー操作検出部と所定の時間をカウントするタイマー部以外の構成要素への電力の供給を停止する省電力モードとを電子機器であるＩＰ電話機に設ける。これにより、例えば着信待ちなど、ＩＰ電話機を使用していない場合には、低消費電力モードに移行させることでＩＰ電話機の消費電力を削減することができる。また、着信によるＩＰパケットをネットワークインターフェイスで受信した場合、あるいは、発信等のキー操作入力をキー操作検出部で検出した場合、あるいは、タイマー部で所定の時間の計測を終了した場合にＩＰ電話機を省電力モードから通常モードに復帰させることで、省電力モードに移行していてもＩＰ電話機を使用する際には、すぐに動作させることができる。
【０００４】
また、特許文献２に記載の技術では、電子機器に光センサや赤外線センサ、温度センサ等のセンサ部を設け、センサ部が感知した電子機器の周囲の状況に応じて自動的に電子機器の電源管理を行うことで電子機器の消費電力を削減することができる。
【特許文献１】特開２００５−１０１９２１号公報
【特許文献２】特開２００５−００４５２２号公報
【発明の開示】
【発明が解決しようとする課題】
【０００５】
ところで、最近では、ＬＡＮケーブル等の通信ケーブルを介して給電を受けることができる電子機器が存在する。なお、通信ケーブルを介して電子機器に給電する給電方式は、ＩＥＥＥ８０２．３ａｆで規定されており、ＩＰ電話機や無線ＬＡＮのアクセスポイント、監視カメラ等の電子機器への適用が期待されている。
【０００６】
ＩＥＥＥ８０２．３ａｆの規定では、通信ケーブルを介して電子機器に給電するＬＡＮ給電装置は、通信ケーブルを介して電子機器が接続されると、通信ケーブルを介して電子機器内に設けられた２５ｋΩの検出抵抗を検出した場合に電子機器への給電を開始する。また、ＬＡＮ給電装置は、電子機器への給電を開始すると、通信ケーブルを介した電子機器との間の接続が切断されて検出抵抗を検出できなくなった場合や、通信ケーブルに５００ｍＡ以上の電流が１ｍｓ以上の間流れるなど電子機器に異常が生じたと思われる場合を除いて電子機器への給電を継続し続ける。そのため、通常、ＩＥＥＥ８０２．３ａｆで規定された給電方式により給電を受ける電子機器は、常時ＬＡＮ給電装置からの給電を受けて起動した状態となっている。
【０００７】
しかし、例えば、通信ケーブルを介して給電を受ける電子機器としてＩＰ電話機を考えた場合、コールセンターや会議室等に配置されているＩＰ電話機は使用される時間帯が決まっており、使用しない時間帯もＩＰ電話機に給電を行い起動させておく必要は全くない。また、社員各個人にＩＰ電話機を割り当てている企業などは、社員が会社にいる時間帯だけＩＰ電話機に給電を行い起動させておけばよく、社員の退社後もＩＰ電話機に給電を行い起動させておく必要は全くない。そのため、何百台、何千台規模でＩＰ電話機を使用している企業にとっては、ＩＰ電話機を使用しない時間帯も通信ケーブルを介してＩＰ電話機に給電し続けることは、消費電力の大きなロスとなる。
【０００８】
特許文献１に記載の技術のように、ＩＰ電話機に省電力モードを設ける手段も考えられるが、近年のＩＰ電話機は多機能化が進み、省電力モード時の消費電力が増加傾向にあるため、エコロジーの観点から不要な電力を常時供給し続けるのは問題がある。
【０００９】
また、通信ケーブルをＩＰ電話機から抜き、ＬＡＮ給電装置からの給電を遮断する方法も考えられるが、ＩＰ電話機の使用者が毎回通信ケーブルの抜き差しを行う必要があり、使用者にとっては大変煩わしい作業となるため、実施に困難がある。
【００１０】
本発明の目的は、通信ケーブルを介した給電の開始および停止の制御を容易に行うことができる電子機器およびその電源制御装置を提供することにある。
【課題を解決するための手段】
【００１１】
上記目的を達成するために本発明の電子機器は、
検出抵抗を備え、通信ケーブルを介して給電装置から給電を受ける電源制御部を有し、前記給電が、前記給電装置が前記通信ケーブルを介して前記検出抵抗を検出することで開始され、前記通信ケーブルに閾値以上の電流が流れることで停止される、電子機器において、
前記電源制御部は、
前記給電を受けて電力の供給を行う電源手段と、
前記給電を開始するための操作を受け付けると前記通信ケーブルと前記検出抵抗との間を導通させ、前記電源手段から供給される電力により該導通を維持する接続制御手段と、
所定の条件に基づいて、前記電源手段から供給される電力により前記閾値以上の電流を前記通信ケーブルに流す切断制御手段とを有することを特徴とする。
【００１２】
上記目的を達成するために本発明の電源制御装置は、
検出抵抗を備え、通信ケーブルを介して給電装置から給電を受け、該給電が、前記給電装置が前記通信ケーブルを介して前記検出抵抗を検出することで開始され、前記通信ケーブルに閾値以上の電流が流れることで停止される、電源制御装置において、
前記給電を受けて電力の供給を行う電源手段と、
前記給電を開始するための操作を受け付けると前記通信ケーブルと前記検出抵抗との間を導通させ、前記電源手段から供給される電力により該導通を維持する接続制御手段と、
所定の条件に基づいて、前記電源手段から供給される電力により前記閾値以上の電流を前記通信ケーブルに流す切断制御手段とを有することを特徴とする。
【発明の効果】
【００１３】
上述したように、本発明によれば、接続制御手段は、給電を開始するための操作を受け付けると、通信ケーブルと検出抵抗との間を導通させ、電源手段から供給される電力によりその導通を維持する。そのため、給電を開始するための操作を行うことで、給電装置が通信ケーブルを介して検出抵抗を検出できるようになり、検出抵抗を検出した給電装置からの給電が開始される。
【００１４】
また、本発明によれば、切断制御手段は、所定の条件に基づいて電源手段から供給された電力により閾値以上の電流を通信ケーブルに流す。そのため、所定の条件を満たす場合、通信ケーブルに閾値以上の電流が流れるため、給電装置は給電を停止する。また、給電が停止されるため、接続制御手段が通信ケーブルと検出抵抗との間の導通を維持できなくなり、給電装置から検出抵抗が検出できなくなるため、再度給電を開始するための操作が行われるまで、給電装置からの給電が停止される。
【００１５】
そのため、通信ケーブルを介した電子機器への給電の開始および停止の制御を容易に行うことができる。
【発明を実施するための最良の形態】
【００１６】
以下に、本発明を実施するための最良の形態について図面を参照して説明する。
【００１７】
図１は、本発明の電子機器の一実施形態の構成を示す図である。
【００１８】
図１に示すように、本実施形態の電子機器２は、電源制御部２０および制御部２１を有している。なお、ここでは、電子機器２の構成要素として電源制御部２１と制御部２０のみしか記載していないが、電子機器２はその目的用途に応じた他の構成要素も有しているものとする。
【００１９】
電源制御部２０は、通信部２１０、接続制御部２２０、電源部２３０および切断制御部２４０を有しており、通信ケーブルであるＬＡＮケーブル３を介して給電装置であるＬＡＮ給電装置１から給電を受け、制御部２１等の電子機器２の他の構成要素に電力を供給する。なお、ＬＡＮ給電装置１は、ＰＳＥ（Ｐｏｗｅｒ  Ｓｏｕｒｃｉｎｇ  Ｅｑｕｉｐｍｅｎｔ）回路１１を有しており、ＰＳＥ回路１１は、ＩＥＥＥ８０２．３ａｆで規定された給電方法に基づいてＬＡＮケーブル３を介して電源制御部２０に給電を行う。具体的には、ＰＳＥ回路１１は、通信部２１０を介してＬＡＮケーブル３に接続された電源部２３０に備えられている２５ｋΩの検出抵抗２３１を検出すると、電子機器２への給電を開始する。また、ＰＳＥ回路１１は、ＬＡＮケーブル３に閾値である５００ｍＡ以上の電流が１ｍｓ以上流れると電源制御部２０への給電を停止する。
【００２０】
通信部２１０は、ＬＡＮケーブル３を介してＬＡＮ給電装置１のＰＳＥ回路１１と接続される。
【００２１】
電源部２３０は、検出抵抗２３１を備えており、通信部２１０を介してＬＡＮケーブル３と接続され、ＰＳＥ回路１１からの給電により制御部２１等の電子機器２の他の構成要素に電力を供給する。
【００２２】
接続制御部２２０は、給電を開始するための操作を受け付けるスイッチ２２１を備えており、通信部２１０を介してＬＡＮケーブル３に電源部２３０と直列に接続される。接続制御部２２０は、給電を開始するための操作がスイッチ２２１で受け付けられると、ＬＡＮケーブル３と電源部２３０に備えられている検出抵抗２３１との間を導通させる。これにより、ＬＡＮケーブル３を介してＰＳＥ回路１１が検出抵抗２３１を検出できるようになり、電源制御部２への給電が開始され、電源部２３０から電子機器２の各構成要素に電力が供給される。また、接続制御部２２０は、給電を開始するための操作終了後も、電源部２３０から供給される電力によりＬＡＮケーブル３と検出抵抗２３１との間の導通を維持する。
【００２３】
切断制御部２４０は、通信部２１０を介してＬＡＮケーブル３に電源部２３０と並列に接続され、所定の条件、例えば制御部２１からの制御信号や電子機器２の周囲の照度や温度の変化等に基づいて、電源部２３０から供給される電力により閾値である５００ｍＡ以上の電流をＬＡＮケーブル３に流す。切断制御部２４０がＬＡＮケーブル３に５００ｍＡ以上の電流を流すことにより、ＰＳＥ回路１１内の電流保護回路が動作し、ＰＳＥ回路１１は電源制御部２０への給電を停止する。また、給電が停止されることで、接続制御部２２０は、ＬＡＮケーブル３と検出抵抗２３１との間の導通を維持できなくなり、ＬＡＮケーブル３と検出抵抗２３１との間の接続を切断する。これによりＰＳＥ回路１１から検出抵抗２３１が検出できなくなり、ＬＡＮケーブル３と検出抵抗２３１との間の導通が再度確立されるまでＰＳＥ回路１１から電源制御部２０への給電は行われない。
【００２４】
上述したように、本実施形態の電子機器２においては、接続制御部２２０は、給電を開始するための操作を受け付けると、ＬＡＮケーブル３と検出抵抗２３１との間を導通させ、また、電源部２３０から供給される電力によりその導通を維持する。そのため、給電を開始するための操作を行うことで、ＬＡＮ給電装置１のＰＳＥ回路１１がＬＡＮケーブル３を介して検出抵抗２３１を検出することができるようになり、検出抵抗２３１を検出したＰＳＥ回路１１から電源制御部２０への給電が開始される。
【００２５】
また、本発明によれば、切断制御部２４０は、所定の条件に基づいて電源部２３０から供給された電力により閾値以上の電流をＬＡＮケーブル３に流す。そのため、所定の条件を満たす場合、ＬＡＮケーブル３に閾値以上の電流が流れるため、ＰＳＥ回路１１は給電を停止する。また、給電が停止されるため、接続制御部２２０がＬＡＮケーブル３と検出抵抗２３１との間の導通を維持できなくなり、ＰＳＥ回路１１から検出抵抗２３１が検出できなくなるため、再度給電を開始するための操作が行われるまで、ＰＳＥ回路１１から電源制御部２０への給電が停止される。
【００２６】
そのため、ＬＡＮケーブル２を介した電子機器２への給電の開始および停止の制御を容易に行うことができる。
【実施例】
【００２７】
次に、具体的な実施例を用いて本発明を実施するための最良の形態を説明する。
【００２８】
なお、以下では、図１に示した電子機器をＩＰ電話機として具体化した場合の実施例について説明する。
【００２９】
（実施例１）
図２は、図１に示した電子機器２の実施例１の構成を示す図である。
【００３０】
図２に示すように、本実施例のＩＰ電話機２は、電源制御部２０、制御部２１および入力部であるユーザインターフェース（ＩＦ）２２を有している。また、電源制御部２０は、ＬＡＮコネクタ２１１、ＬＡＮＩＦ回路２１２、スイッチ２２１、第１トランジスタ（Ｔｒ１）２２２、第２トランジスタ（Ｔｒ２）２４２、第３トランジスタ（Ｔｒ３）２４１、第１抵抗（Ｒ１）２４３、電流調整抵抗である第２抵抗（Ｒ２）２４４、ＰＤ（Ｐｏｗｅｒ  Ｄｅｖｉｃｅ）回路２３２、検出抵抗２３１、電源回路２３３およびリセットＩＣ２４５を有している。
【００３１】
なお、図１に示した通信部２１０はＬＡＮコネクタ２１１およびＬＡＮＩＦ回路２１２から構成され、電源部２３０はＰＤ回路２３２、検出抵抗２３１および電源回路２３３から構成され、接続制御部２２０はスイッチ２２１および第１トランジスタ２２２から構成され、切断制御部２４０は第２トランジスタ２４２、第３トランジスタ２４１、第１抵抗２４３、第２抵抗２４４およびリセットＩＣ２４５から構成される。
【００３２】
ＬＡＮコネクタ２１１は、ＬＡＮケーブル３を介してＬＡＮ給電装置１のＰＳＥ回路１１と接続される。
【００３３】
ＬＡＮＩＦ回路２１２は、ＬＡＮコネクタ２１１に接続されたＬＡＮケーブル３にＰＤ回路２３２を接続する。
【００３４】
ＰＤ回路２３２は、検出抵抗２３１を備えており、ＬＡＮＩＦ回路２１２を介して、ＬＡＮコネクタ２１１に接続されたＬＡＮケーブル３と接続される。なお、ＰＤ回路２３２は、ＰＳＥ回路１１から給電を受けると、４８Ｖの電圧を電源回路２３３に出力する。
【００３５】
スイッチ２２１は、ＬＡＮＩＦ回路２１２を介してＬＡＮコネクタ２１１に接続されたＬＡＮケーブル３に、ＰＤ回路２３２と直列に接続される。スイッチ２２１は、解放状態においては、ＬＡＮケーブル３と検出抵抗２３１との間の接続を切断しており、給電を開始するための操作、具体的には押下等の操作を受け付けることによりＬＡＮケーブル３と検出抵抗２３１との間を導通させる。これにより、ＰＳＥ回路１１は、ＬＡＮケーブル３に接続された検出抵抗２３１を検出できるようになり、電源制御部２０への給電を開始する。
【００３６】
第１トランジスタ２２２は、ＬＡＮＩＦ回路２１２とＰＤ回路２３２との間で、スイッチ２２１と並列に接続され、ベースにはＰＤ回路２３２が接続されている。第１トランジスタ２２２は、ＰＳＥ回路１１からの給電が開始され、ＰＤ回路２３２から４８Ｖの電圧が出力されると、その出力電圧がベースに印加されてＯＮ状態となり、ＬＡＮＩＦ回路２１２を介して、ＬＡＮコネクタ２１１に接続されたＬＡＮケーブル３と検出抵抗２３１との間を導通させ、出力電圧がベースに印加されている間、その導通を維持する。なお、第１トランジスタ２２２は、ベースにＰＤ回路２３２の出力電圧が印加されていない状態はＯＦＦ状態であり、ＬＡＮケーブル３と検出抵抗２３１との間の接続を切断する。
【００３７】
電源回路２３３は、ＰＤ回路２３２から出力された電圧を変圧し、制御部２１等を駆動させるのに必要な電圧Ｖｃｐｕを出力する。
【００３８】
ユーザＩＦ２２は、ユーザによるＩＰ電話機２を制御するための各種操作を受け付ける。なお、ユーザＩＦ２２には、ボタンやタッチパネル等を用いることができる。
【００３９】
制御部２１は、電源回路２３３から出力されたＶｃｐｕにより駆動し、ＩＰ電話機２の他の構成要素の制御を行う。具体的には、制御部２１１は、Ｖｃｐｕが印加されて駆動すると、第３トランジスタ２４１のベースに一定の電圧であるハイレベル電圧の制御信号を出力する。また、制御部２１は、ユーザＩＦ２２にて給電を停止するための操作が受け付けられると、制御信号の電圧をハイレベル電圧よりも低いローレベル電圧に設定する。
【００４０】
第３トランジスタ２４１は、グランドと第２トランジスタ２４２のベースとの間に接続され、制御部２１からベースに出力される制御信号の電圧がハイレベル電圧の場合、ＯＮ状態となり、グランドと第２トランジスタ２４２のベースとの間を導通させる。また、第３トランジスタ２４１は、ベースに出力される制御信号の電圧がローレベル電圧の場合、ＯＦＦ状態となり、グランドと第２トランジスタ２４２のベースとの間の接続を切断する。
【００４１】
第２抵抗２４４は、ＬＡＮＩＦ回路２１２を介して、ＬＡＮコネクタ２１１に接続されているＬＡＮケーブル３に検出抵抗２３１と並列に接続される。第２抵抗２４４は、ＰＳＥ回路１１から給電を受けると閾値である５００ｍＡ以上の電流をＬＡＮケーブル３に流す。
【００４２】
第２トランジスタ２４２は、ＬＡＮコネクタ２１１に接続されているＬＡＮケーブル３に第２抵抗２４４と直列に接続される。第２トランジスタ２４２のベースは、第１抵抗２４３およびリセットＩＣ２４５を介して電源回路２３３に接続されている。第２トランジスタ２４２は、ベースに印加される電圧の大きさに応じてＯＮ状態とＯＦＦ状態が切り替わり、ＯＮ状態の時には、ＬＡＮケーブル３と第２抵抗２４４との間を導通させ、ＯＦＦ状態の時には、ＬＡＮケーブル３と第２抵抗２４４との間の接続を切断する。なお、第２トランジスタ２４２のベースに印加される電圧の大きさは、第３トランジスタの状態に応じて変化し、第３トランジスタがＯＦＦ状態の場合、電源回路２３３から出力された電圧が全てベースに印加されるため、第２トランジスタはＯＮ状態となる。一方、第３トランジスタがＯＮ状態の場合、ベースとグランドとが接続されるため、ベースに印加される電圧が減少し、第２トランジスタはＯＦＦ状態となる。
【００４３】
リセットＩＣ２４５は、制御部２１から制御信号が第３トランジスタ２４１のベースに出力されてから、電源回路２３３の出力電圧が第２トランジスタ２４２のベースおよび第３トランジスタ２４１に印加されるように、入力された電源回路２３３の出力電圧を遅延させて出力する。
【００４４】
第１抵抗２４３は、第２トランジスタ２４２のベース及び第３トランジスタ２４１に印加される電圧の大きさを調整するための抵抗である。
【００４５】
以下に、図２に示した本実施例のＩＰ電話機２の動作について説明する。
【００４６】
最初に、図２に示したＩＰ電話機２を起動する動作について説明する。
【００４７】
まず、ＬＡＮコネクタ２１１にＬＡＮケーブル３が接続され、電源制御部２０とＰＳＥ回路１１とが接続される。このとき、スイッチ２２１、第１トランジスタ２２２ともにＬＡＮケーブル３と検出抵抗２３１との間の接続を切断しているため、ＰＳＥ回路１１は、検出抵抗２３１を検出することができず、電源制御部２０への給電を行わない。
【００４８】
次に、給電を開始するための操作としてスイッチ２２１が押下されると、スイッチ２２１は、ＬＡＮＩＦ回路２１２を介して、ＬＡＮコネクタ２１１に接続されているＬＡＮケーブル３と検出抵抗２３１との間を導通させる。これにより、ＰＳＥ回路１１は、検出抵抗２３１を検出できるようになり、電源制御部２０への給電を開始する。なお、スイッチ２２１は状態を保持しないものとし、給電を開始するための操作が終了して押下が解放されるとＯＰＥＮ状態となる。
【００４９】
次に、ＰＳＥ回路１１からの給電が開始されると、ＰＤ回路２３２は、４８Ｖの電圧を電源回路２３３に出力する。この電圧は第１トランジスタ２２２のベースにも印加され、これにより第１トランジスタ２２２がＯＮ状態となるため、スイッチ２２１の解放後も、ＬＡＮケーブル３と検出抵抗２３１との間を導通が維持される。なお、ＩＥＥＥ８０２．ａｆの規定に基づいて、２５ｋオームの検出抵抗２３１と第１トランジスタ２２２の直列合成抵抗が２６．２５ｋΩを超えないように、第１トランジスタの抵抗を設定する必要がある。
【００５０】
次に、ＰＤ回路２３２から４８Ｖの電圧が出力されると、電源回路２３３は、この電圧を変圧して制御部２１等を駆動させるのに必要な電圧Ｖｃｐｕを出力する。
【００５１】
次に、ＣＰＵ等の制御部２１は、電源回路２３３から出力されたＶｃｐｕにより起動し、第３トランジスタ２４１のベースに出力する制御信号の電圧をハイレベル電圧に設定する。
【００５２】
また、リセットＩＣ２４５は、電源回路２３３から出力されたＶｃｐｕが入力されると、制御部２１からハイレベル電圧の制御信号が第３トランジスタ２４１のベースに出力されるまで、入力されたＶｃｐｕを出力するのを遅延させる。リセットＩＣ２４５から遅延されて出力されたＶｃｐｕは、第１抵抗２４３により適当な電圧に調整された後、第２トランジスタ２４２のベースに印加される。
【００５３】
その後、第３トランジスタ２４１は、ベースにハイレベル電圧の制御信号が入力されたことでＯＮ状態となり、グランドと第２トランジスタ２４２のベースとを導通させる。そのため、第２トランジスタ２４２のベースに印加される電圧が減少し、第２トランジスタ２４２がＯＦＦ状態のままとなり、ＰＳＥ回路１１から電源制御部２０への給電が継続される。
【００５４】
次に、図２に示したＩＰ電話機２を停止する動作について説明する。
【００５５】
まず、ユーザＩＦ２２は、給電を停止するための操作を受け付けると、給電を停止するよう指示する給電停止命令を制御部２１に出力する。なお、ユーザＩＦ２２で行う給電を停止するための操作としては、ユーザＩＦ２２に備えられた給電停止を割り当てられたボタンの押下や、画面上の給電停止の項目の選択、タッチパネルの画面上の給電停止アイコンの押下などが想定される。
【００５６】
これを受け、制御部２１は、第３トランジスタ２４１のベースに出力する制御信号の電圧をローレベル電圧に設定する。
【００５７】
次に、第３トランジスタ２４１は、制御部２１から出力される制御信号の電圧がローレベル電圧に設定されたことでＯＦＦ状態となり、グランドと第２トランジスタ２４２のベースとの間の導通を切断する。これにより、第２トランジスタ２４２のベースに印加される電圧が増加し、第２トランジスタ２４２がＯＮ状態となる。
【００５８】
次に、第２トランジスタ２４２がＯＮ状態となったことで、第２抵抗２４４とＬＡＮケーブル３との間が導通し、第２抵抗２４４にＰＳＥ回路１１から給電された電力が供給される。これにより、ＬＡＮケーブル３に閾値以上の電流である５００ｍＡの電流が流れる。なお、第２抵抗２４４の抵抗の大きさは、ＰＳＥ回路１１から供給された電力により５００ｍＡ以上の電流が流れるように設定しておく必要がある。
【００５９】
次に、ＰＳＥ回路１１は、ＩＥＥＥ８０２．３ａｆの規定に基づいて、ＬＡＮケーブル３に５００ｍＡの電流が１ｍｓ以上流れると電源制御部２０への給電を停止する。
【００６０】
次に、ＰＳＥ回路１１から電源制御部２０への給電が停止されると、ＰＤ回路２３２から４８Ｖの電圧が出力されなくなるため、第１トランジスタがＯＦＦ状態となる。これにより、ＬＡＮケーブル３と検出抵抗２３１との間の接続が切断される。
【００６１】
その後、ＰＳＥ回路１１は、定期的に検出抵抗２３１を検出するために検出電圧をＬＡＮケーブル３を介して電源制御部２０に出力するが、ＬＡＮケーブル３と検出抵抗２３１との間の接続が切断されているため検出抵抗２３１を検出することができず、給電を停止したままの状態となる。
【００６２】
上述したように、本実施例のＩＰ電話機２においては、ユーザの操作によりＩＰ電話機２への給電の開始及び停止を容易に制御することができる。
【００６３】
（実施例２）
図３は、図１に示した電子機器２の実施例２の構成を示す図である。
【００６４】
図３に示すように、本実施例のＩＰ電話機２は、図２に示した実施例１のＩＰ電話機２の構成要素に加え、センサ部２３を有している。
【００６５】
センサ部２３は、図３に示したＩＰ電話機２の周囲の照度や温度を測定し、測定した照度や温度に基づいて制御部２０に給電停止命令を出力する。そのため、ＰＳＥ回路１１から電源制御部２０への給電の停止を、ＩＰ電話機２の周囲の環境の変化に応じて自動で行うことができる。
【００６６】
センサ部２３として、図３に示したＩＰ電話機２の周囲の照度を測定する光センサを用いる場合、センサ部２３は、周囲の照度が所定の設定照度以下の場合に制御部２０に給電停止命令を出力する。この様にすることで、例えば、夜間や電灯が消えＩＰ電話機２の周囲が暗くなった場合に、自動で給電を停止することができる。なお、センサ部２３が周囲の照度が所定の設定照度以上の場合に制御部２０に給電停止命令を出力するように構成しても良い。
【００６７】
また、センサ部２３として、図３に示したＩＰ電話機２の周囲の温度を測定する温度センサを用いる場合、センサ部２３は、周囲の温度が所定の設定温度以上の場合に制御部２０に給電停止命令を出力する。この様にすることで、例えばＩＰ電話機２に異常が発生し温度が上昇した際に、自動でＩＰ電話機２への給電を停止することができる。また、夏に、ユーザが、ＩＰ電話機２が設置されている部屋から退出してクーラーが停止され、周囲の温度が上昇した場合に、ＩＰ電話機２への給電を自動で停止することができる。なお、センサ部２３が周囲の温度が所定の設定温度以下の場合に制御部２０に給電停止命令を出力するように構成しても良い。この場合、冬に、ユーザが部屋から退出して暖房が停止され、周囲の温度が低下した場合に、ＩＰ電話機２への給電を自動で停止させることができる。また、温度範囲を設定して、その温度範囲から外れた場合にセンサ部２３が制御部２０に給電停止命令を出力する構成としても良い。
【００６８】
上述したように、本実施例のＩＰ電話機２においては、センサ部２３を設けることで、ＩＰ電話機２の周囲の環境の変化に応じてＩＰ電話機２への給電を自動で停止させることができる。
【００６９】
（実施例３）
図４は、図１に示した電子機器２の実施例３の構成を示す図である。
【００７０】
図４に示すように、本実施例のＩＰ電話機２は、図３に示した実施例２のＩＰ電話機２の構成要素に加え、タイマー部２４を有している。
【００７１】
タイマー部２４は、時間を計測し、ユーザＩＦ部２２を介して設定された所定の設定時間を計測した場合に制御部２０に給電停止命令を出力する。これにより、指定の時間に自動でＩＰ電話機２への給電を停止させることができる。そのため、タイマー部２４を用いて、ＩＰ電話機２に日時を計測する時計機能やカレンダー機能を持たせることで、時刻や曜日、日付等を指定してＩＰ電話機２への給電を自動で停止させることができる。
【００７２】
（実施例４）
図５は、図１に示した電子機器２の実施例４の構成を示す図である。
【００７３】
図５に示すように、本実施例のＩＰ電話機２は、図４に示した実施例３のＩＰ電話機２の構成要素に加え、ＬＡＮケーブル５を介して他の電子機器であるＰＣ４と接続するためのＬＡＮコネクタ２５およびＬＡＮＩＦ回路２６を有している。なお、本発明の通信手段は、ＬＡＮコネクタ２５およびＬＡＮＩＦ回路２６から構成される。
【００７４】
ＬＡＮＩＦ回路２６は、ＬＡＮコネクタ２５に接続されたＬＡＮケーブル５を介してＰＣ４と通信を行う。
【００７５】
制御部２１は、ＬＡＮＩＦ回路２６にて、ＬＡＮコネクタ２５に接続されたＬＡＮケーブル５を介してＰＣ４から出力された給電の停止を指示する信号が受信されると、制御信号の電圧をローレベル電圧に設定する。
【００７６】
これにより、他の電子機器であるＰＣ４からＬＡＮケーブル５を介して、遠隔操作で、ＩＰ電話機２への給電を停止することができる。また、停止する際に自動で給電の停止を指示する信号をＩＰ電話機２に出力するようにＰＣ４を構成することで、ＰＣ４の停止時にＩＰ電話機２への給電を停止させ、ＩＰ電話機２も合わせて停止させることができるようになる。
【００７７】
（実施例５）
図６は、図１に示した電子機器２の実施例５の構成を示す図である。なお、電源制御部２０以外のＩＰ電話機の構成要素は省略している。
【００７８】
図６に示すように、本実施例のＩＰ電話機２は、図２〜５に示した実施例１〜４のＩＰ電話機２と比較して、電源制御部２０が、第３トランジスタ２４１の代わりにフォトトランジスタ（ＰＴｒ）２４６を有する点と、リセットＩＣ２４５を有していない点とが異なる。
【００７９】
フォトトランジスタ２４６は、図６に示したＩＰ電話機２の周囲の照度が所定の照度以下の場合にＯＦＦ状態となり、グランドと第２トランジスタ２４２のベースとの間の接続を切断し、周囲の照度が所定の照度よりも大きな場合にＯＮ状態となり、グランドと第２トランジスタ２４２のベースとの間を導通させる。
【００８０】
この様にフォトトランジスタ２６４を用いることで、図１〜５に示した制御部２１からの制御信号を必要とせず、ＩＰ電話機２の周囲の照度に応じて、ＩＰ電話機２への給電を自動で停止させることができる。そのため、図５に示した制御部２１や、ユーザＩＦ２２、センサ部２３、タイマー部２４、ＬＡＮコネクタ２５、ＬＡＮＩＦ回路２６等の構成要素が不要となる。また、制御部２１からの制御信号を必要としないため、ユーザＩＦ制御部２１から制御信号が出力されるまで入力された電源回路２３３の出力電圧を出力するのを遅延させるリセットＩＣ２４５も不要となる。
【００８１】
また、制御部２１からの制御信号を必要としないため、電源制御部２０を電源制御装置として電子機器の外部に設けることも可能になる。
【００８２】
なお、上述した実施例１〜５に示したＩＰ電話機２は、本発明の電子機器の一例であり、本発明はＬＡＮ給電装置１から給電を受ける全ての電子機器、例えば監視カメラや無線ＬＡＮのアクセスポイント等にも適用可能である。
【図面の簡単な説明】
【００８３】
【図１】本発明の電子機器の一実施形態の構成を示す図である。
【図２】図１に示した電子機器の実施例１の構成を示す図である。
【図３】図１に示した電子機器の実施例２の構成を示す図である。
【図４】図１に示した電子機器の実施例３の構成を示す図である。
【図５】図１に示した電子機器の実施例４の構成を示す図である。
【図６】図１に示した電子機器の実施例５の構成を示す図である。
【符号の説明】
【００８４】
１    ＬＡＮ給電装置
２    電子機器（ＩＰ電話機）
３，５    ＬＡＮケーブル
４    ＰＣ
１１    ＰＳＥ回路
２０    電源制御部
２１    制御部
２２    ユーザＩＦ
２３    センサ部
２４    タイマー部
２５，２１１    ＬＡＮコネクタ
２６，２１２    ＬＡＮＩＦ回路
２１０    通信手段
２２０    接続制御手段
２２１    スイッチ
２２２    第１トランジスタ
２３０    電源手段
２３１    検出抵抗
２３２    ＰＤ回路
２３３    電源回路
２４０    切断制御手段
２４１    第３トランジスタ
２４２    第２トランジスタ
２４３    第１抵抗
２４４    第２抵抗
２４５    リセットＩＣ
２４６    フォトトランジスタ
【図１】
2010130339.tif 000003
【図２】
2010130339.tif 000004
【図３】
2010130339.tif 000005
【図４】
2010130339.tif 000006
【図５】
2010130339.tif 000007
【図６】
2010130339.tif 000008